(57)【要約】      （修正有）【課題】放熱モジュールを組立てる時、屑が生成されない固定構造を提供する。【解決手段】放熱モジュール１と、前記放熱モジュール１を電子部品に接触させ、さらに電気回路板上に結合させるのに用いられる固定ユニット５とによって構成されており、前記本体１１上には少なくとも一つの孔１１１および引っ掛け部１１２を具有し、前記固定ユニット５は、前記孔１１１内に設置される固定部品５１、および前記孔１１１内に設置され、さらに前記固定部品５１に嵌合されている弾性部品５２を具有しており、前記弾性部品５２は具有する定位部５２１によって前記本体１１の引っ掛け部１１２と掛合し、前記本体１１上において定位されており、前記本体１１と相対運動することはなく、それにより前記本体１１が磨耗して屑が生成され、前記電気回路板がショートしてしまうことはない。【選択図】図５
2005277010.tif 000002
【特許請求の範囲】
【請求項１】
放熱モジュールの固定構造であり、
電気回路板に設けられている少なくとも一つの電子部品から発生する熱の放熱に用いられ、
放熱モジュールと、少なくとも一つの固定ユニットによって構成されており、
前記放熱モジュールは、本体、および前記本体表面に設置されており前記電子部品に向かっている放熱ユニットを具有し、組立ての時、前記放熱モジュールは前記放熱ユニットによって前記電子部品とお互いに接触し、前記本体上には少なくとも一つの孔および引っ掛け部を具有し、
前記固定ユニットは、前記放熱モジュールを前記電子部品と接触させ、さらに電気回路板上に結合させるのに用いられ、前記固定ユニットは前記孔内に設置される固定部品、および前記孔内に設置され、さらに前記固定部品に嵌合されている弾性部品を具有しており、前記弾性部品は具有する定位部によって前記本体の引っ掛け部と掛合し、前記本体上において定位されており、
前記放熱モジュールは、前記固定部品によって前記電気回路に組立てられる時、前記固定ユニットがその弾性部品の弾力によって前記放熱ユニットを前記電気回路板上の前記電子部品表面に緊密に接触し、前記弾性部品が前記定位部によって前記本体の引っ掛け部上に定位されることにより、前記本体と相対運動することはなく、それにより前記本体が磨耗して屑が生成され、前記電気回路板がショートしてしまうことはないことを特徴とする放熱モジュールの固定構造。
【請求項２】
前記放熱モジュールは少なくとも一つの支持座を具有しており、前記孔は前記支持座の周壁部によって境界が定められており、前記周壁は縦方向に溝が形成されており、それが前記引っ掛け部となっており、前記弾性部品は突出部が形成されており、それが定位部となっており、組立ての時、前記弾性部品の突出部と前記支持座の前記溝を掛合し、前記弾性部品は前記孔内に定位されることを特徴とする請求項１に記載の放熱モジュールの固定構造。
【請求項３】
前記弾性部品はスプリングであり、螺旋段を具有しており、前記突出部は前記螺旋段の下方に位置しており、前記突出部は前記螺旋段の軸方向に垂直で、且つ前記螺旋段から外に突出しており、これにより前記支持座の前記溝と掛合していることを特徴とする請求項２に記載の放熱モジュールの固定構造。
【請求項４】
前記固定部品はボルトであり、ボルトロッドとその上に位置するボルトヘッドを具有し、前記ボルトロッドの長さは前記孔の深さよりもやや長く、且つ大径段部と小径段部を具有し、前記小径段部の周囲の長さは前記孔を貫通できる長さであり、且つ前記小径段部の周縁にはねじ山が形成されており、それにより電気回路板上と螺着されることを特徴とする請求項１に記載の放熱モジュールの固定構造。
【請求項５】
前記固定ユニットはＣリングを具有し、且つ前記ボルトロッドの前記大径段部と前記小径段部の間には環状溝が形成されており、それにより前記Ｃリングは前記支持座上において固定部品に嵌合していることを特徴とする請求項４に記載の放熱モジュールの固定構造。
【発明の詳細な説明】
【技術分野】
【０００１】
本発明は固定構造に係り、特に組立ての時、屑が生成されるのを避けることができ、放熱モジュールに用いられる固定構造に関わる。
【背景技術】
【０００２】
現在科学技術は日々進歩しており、ノートパソコンやその他の軽量薄型の高速コンピュータなどが具有するＣＰＵの演算速度は益々速くなっており、そのために生成される高い熱は、放熱器を設置することによって放熱を行う必要がある。
【０００３】
図１は台湾第５６４００７公告号の特許案における放熱器の固定装置７であり、その上方には放熱モジュール８が設けられており、放熱モジュール８はヒートパイプ８１と外に向かって伸びる本体８２によって構成されている。固定装置７は放熱モジュール８を緊密に接触させ、さらに基板７０を放熱を行う電子部品９０の表面上に固定するのに用いられ、放熱モジュール８の基板７０上のヒートパイプ８１と本体８２上に形成されている放熱フィン８２１によって表面積が増加され、電子部品９０が生成する熱はヒートパイプ８１から外に伝わり、さらに放熱フィン８２１によって放熱される。固定装置７は複数の固定モジュール７１が加わり、前記電子部品９０を具有する電気回路板９１およびその下方の補強版９２上に固定され、固定装置７はさらに固定モジュール７１が貫通することができ、その数に対応する複数の孔７２を具有する。
【０００４】
図２に示すように、固定モジュール７１は固定部品７１１と、固定部品７１１に嵌合される弾性部品７１２と、弾性部品７１２の上部に被せられる外蓋７１３と、固定部品７１１の下方に固定される固定部品７１４とによって構成されている。
【０００５】
固定装置７を電気回路板９１上に設置する方式は、固定部品７１１を弾性部品７１２に嵌入した後、基板７０上の孔７２に貫通させ、固定部品７１１によって電気回路板９１上の複数のねじ穴９１１と固定させ、さらに固定部品７１４を取りつけて組立てが完成するものである。
【０００６】
上述の弾性部品７１２は主に電子部品９０に対して緊密に接触させるのに適当な圧力を与えるために用いられ、このようにして電子部品９０が生成する熱は十分に固定装置７の基板７０を経由し、放熱モジュール８へと伝わり更に放熱され、基板７０は一般に放熱されやすいアルミ製材によって作られており、固定部品７１１と電気回路板９１上の複数のねじ穴９１１を螺着固定した時、弾性部品７１２は一般にスプリングを使用しており、組立ての時、高速に固定部品７１１を回転させるために、弾性部品７１２も一緒に回転させてしまい、弾性部品７１２の材質は基板７０の硬度よりも硬いので、基板７０は弾性部品７１２の尖った端部によって磨耗され、それにより生成された金属屑が直接電気回路板９１上に落ち、容易にショートが発生してしまい、後続の検査に支障をきたす。
【発明の開示】
【発明が解決しようとする課題】
【０００７】
本発明の目的は、放熱モジュールを組立てる時、屑が生成されない固定構造を提供することであり、その原理は弾性部品の回転を抑制する点にあり、それにより磨耗による金属屑の生成を防止することができる。
【課題を解決するための手段】
【０００８】
前記課題を解決するために、本発明の放熱モジュールの固定構造は、
電気回路板に設けられている少なくとも一つの電子部品から発生する熱の放熱に用いられ、前記放熱モジュールの固定構造は、放熱モジュールと、前記放熱モジュールを前記電子部品に接触させ、さらに電気回路板上に結合させるのに用いられる固定ユニットによって構成されている。
【０００９】
前記放熱モジュールは、本体、および前記本体表面に設置されており前記電子部品に向かっている放熱ユニットを具有し、組立ての時、前記放熱モジュールは前記放熱ユニットによって前記電子部品とお互いに接触し、前記本体上には少なくとも一つの孔および引っ掛け部を具有し、前記固定ユニットは前記孔内に設置される固定部品、および前記孔内に設置され、さらに前記固定部品に嵌合されている弾性部品を具有しており、前記弾性部品は具有する定位部によって前記本体の引っ掛け部と掛合し、前記本体上において定位されている。
【００１０】
前記放熱モジュールは、前記固定部品によって前記電気回路に組立てられる時、前記固定ユニットがその弾性部品の弾力によって前記放熱ユニットを前記電気回路板上の前記電子部品表面に緊密に接触し、前記弾性部品が前記定位部によって前記本体の引っ掛け部上に定位されることにより、前記本体と相対運動することはなく、それにより前記本体が磨耗して屑が生成され、前記電気回路板がショートしてしまうことはない。
【００１１】
前記放熱モジュールは少なくとも一つの支持座を具有しており、前記孔は前記支持座の周壁部によって境界が定められており、前記周壁は縦方向に溝が形成されており、それが前記引っ掛け部となっており、前記弾性部品は突出部が形成されており、それが定位部となっており、組立ての時、前記弾性部品の突出部と前記支持座の前記溝を掛合し、前記弾性部品は前記孔内に定位される。
【００１２】
前記弾性部品はスプリングであり、螺旋段を具有しており、前記突出部は前記螺旋段の下方に位置しており、前記突出部は前記螺旋段の軸方向に垂直で、且つ前記螺旋段から外に突出しており、これにより前記支持座の前記溝と掛合しており、前記固定部品はボルトであり、ボルトロッドとその上に位置するボルトヘッドを具有し、前記ボルトロッドの長さは前記孔の深さよりもやや長く、且つ大径段部と小径段部を具有し、前記小径段部の周囲の長さは前記孔を貫通できる長さであり、且つ前記小径段部の周縁にはねじ山が形成されており、それにより電気回路板上と螺着される。
【発明の効果】
【００１３】
本発明の放熱モジュールの固定構造が具有する弾性部品は、定位部によって予め放熱モジュールの本体の引っ掛け部上に定位されるので、本体と相対運動することはなく、それにより、放熱モジュールを電気回路板上に組立てる時、磨耗によって金属屑が生成され、それが電気回路板上に落ち電気回路板がショートするのを防ぐことができる。
【発明を実施するための最良の形態】
【００１４】
本発明に関する前述、およびその他の技術内容、特徴、効果を実施例に沿って図と共に詳しく説明する。
【実施例１】
【００１５】
図３は、本発明の放熱モジュールの固定構造における比較的好適な実施例であり、主にノートパソコンのマザーボード上に設置されるＣＰＵの放熱に用いられ、前記比較的好適な実施例は、放熱モジュール１と、少なくとも一つの固定ユニット５によって構成されているが、先に説明しなければならないことは、この固定ユニット５はノートパソコンのＣＰＵ上の放熱モジュール１に組立てられるだけに限らず、その他の種類の電気回路板への応用も可能である。その他、本比較的好適な実施例において、三点固定式は四点固定式よりも必要な面積が小さく、且つ固定構造全体の圧力を制御し易いので、三組の固定ユニット５によるものを例として、放熱モジュール１およびマザーボードあるいは電気回路板３１上に組立てられる方式を説明する。
【００１６】
図３，４，５，６に示すように、放熱モジュール１は、金属製の本体１１および本体１１表面に位置し、且つ電子部品３２の方向に向かっている放熱ユニット１２を具有し、放熱ユニット１２は、外観が方形を呈するヒートプレート１２１と、ヒートプレート１２１から外に向かって伸びるヒートパイプ１２２、および複数の放熱フィン１２３とからなり、本体１１上にはさらに二つのファン１４１，１４２が設置されており、その中で、一つのファン１４１はヒートパイプ１２２が伸びている前記放熱フィン１２３の場所に設置されており、もう一つのファン１４２はヒートプレートの傍に設置されており、本比較的好適な実施例中において、放熱モジュール１はこの放熱ユニット１２のヒートプレート１２１と電子部品３２との接触によって放熱効果を得るものであり、放熱モジュール１に関連する構造原理は発明の重点ではないため、それ以上は説明しない。
【００１７】
固定するために用いられる固定ユニット５は、放熱モジュール１のヒートプレート１２１を電子部品３２に接触させ、さらに電気回路板３１上に結合させており、固定ユニット５は、孔１１１内に設置される固定部品５１と、孔１１１内に設置され、且つ固定部品５１に嵌合される弾性部品５２を具有し、弾性部品５２は具有する定位部５２１を本体１１上の引っ掛け部に掛合し、本体１１上に定位される。
【００１８】
放熱モジュール１の本体１１上は三組の支持座１３を具有しており、上述の孔１１１は支持座１３の周壁部１３１によって境界が定められており、且つ周壁部１３１は縦方向の溝が形成されており、それが引っ掛け部１１２となっており、弾性部品５２は突出部が形成されており、それが定位部５２１となっており、組立ての時、弾性部品５２の突出部が支持座１３の溝に掛合され、弾性部品５２は孔１１１内に固定される。説明しなければならないことは、上述の引っ掛け部１１２を縦向きの溝に設計し、定位部５２１を突出部に設計し、縦向きの溝と掛合するだけではなく、例えば引っ掛け孔と鉤部の方式、あるいはその他の弾性部品５２を支持座１３に定位、あるいは掛合できる方式など、位置がずれない方式によって本体上に固定することができる。
【００１９】
本好適な実施例において、弾性部品５２はスプリングであり、螺旋段５２２を具有しており、定位部５２１は前記螺旋５２２の下方に位置しており、定位部５２１は螺旋段５２２の軸方向に垂直で、且つ螺旋段５２２から外に突出しており、これにより支持座１３の溝と掛合している。この他、固定部品５１１は本好適な実施例においてはボルトであり、ボルトロッドとその上に位置するボルトヘッドを具有し、ボルトロッドの長さは孔１１１の深さよりもやや長く、且つ大径段部５１１と小径段部５１２を具有しており、小径段部５１２の周囲長さは孔１１１を貫通できる長さであり、且つ小径段部５１２の周縁にはねじ山が形成されており、それにより電気回路板上に螺着される。この他、固定ユニット５はＣリング５３を具有し、且つボルトロッドの大径段部５１１と小径段部５１２の間には環状溝５１３が形成されており、それにより前記Ｃリング５３は前記支持座１３上において固定部品５１に嵌合される。
【００２０】
図４，７に示すように、放熱モジュール１が固定部品５１によって電気回路板３１に組立てられる時、弾性部品５２の弾力によって放熱ユニット１のヒートプレート１２１が電気回路板上の電子部品表面に緊密に接触し、弾性部品５２が予め定位部５２１によって本体１１の引っ掛け部１１２上に定位されることにより、支持座１３の内面と底部が相対運動して磨耗し、それにより屑が生成されて電気回路板に落ち、ショートしてしまうことはない。
【００２１】
上述の内容をまとめると、本発明の放熱モジュールの固定構造が具有する弾性部品５２は定位部５２１によって予め放熱モジュール１の本体１１の引っ掛け部上に定位されるので、本体１１と相対運動することはなく、その作用原理は弾性部品５２の回転を抑制することにあり、これにより磨耗によって金属屑が生成され、電気回路板３１上に落ちるのを防ぐことができ、放熱モジュール１を電気回路板３１上に組立てる時、電気回路板３１が容易にショートするのを防ぐことができる。
【００２２】
上述の内容は、本発明の比較的好適な実施例を示すだけのものであり、本発明の実施範囲を限定するものではなく、本発明の申請範囲と説明書の内容における簡単な変更や修飾等は全て本発明の範囲に含まれる。
【図面の簡単な説明】
【００２３】
【図１】公知構造の放熱器における固定装置を示す立体図である。
【図２】図１の公知構造の放熱器における固定装置の構造部品を示す分解図である。
【図３】本発明の放熱モジュールにおける固定構造の比較的好適な実施例を示す側面からの立体図である。
【図４】前記比較的好適な実施例における固定ユニットが放熱モジュールの支持座上に固定される様子を示す図３の局部拡大図である。
【図５】前記比較的好適な実施例における固定ユニットが具有する各構成部品を示す図４の立体分解図である。
【図６】前記比較的好適な実施例における放熱ユニットを示す俯瞰図である。
【図７】前記比較的好適な実施例における固定ユニットが放熱モジュールと電気回路板を結合し、電気回路板上の電子部品と放熱モジュールのヒートプレートをぴったりと貼合させる様子を示す図６の線VII−VIIの断面図である。
【符号の説明】
【００２４】
１      放熱モジュール
１１    本体
１１１  孔
１１２  引っ掛け部
１２    放熱ユニット
１２１  ヒートプレート
１２２  ヒートパイプ
１２３  放熱フィン
１３    支持部
１３１  周壁部
１４１  ファン
１４２  ファン
３１    電気回路板
３２    電子部品
５      固定ユニット
５１    固定部品
５１１  大径段部
５１２  小径段部
５１３  環状溝
５２    弾性部品
５２１  定位部
５２２  螺旋段
５３    Ｃリング
【図１】
2005277010.tif 000003
【図２】
2005277010.tif 000004
【図３】
2005277010.tif 000005
【図４】
2005277010.tif 000006
【図５】
2005277010.tif 000007
【図６】
2005277010.tif 000008
【図７】
2005277010.tif 000009